(57)【要約】【課題】コネクタのロック解除から離脱までを単一の操作によって行う。【解決手段】雌コネクタ５にはコネクタ同士の嵌合・離脱方向に沿ってスライド可能なスライダー６２が組み付けられ、スライダー６２を後退操作すると、スライダー６２の解除案内面７８に沿って解除突部６６が摺接するため、ロックアーム６３がロック解除方向に変位する。このとき、ばね収容部６７のストッパ面７４がスライダー６２と当接してスライダー６２と雌コネクタハウジング４１とが一体化するため、以後はスライダー６２の後退操作によって雌コネクタ５を雄コネクタ４から抜き取ることができる。【選択図】図１９
2007335328.tif 000002
【特許請求の範囲】
【請求項１】
相互に嵌合可能な一対の嵌合部材と、
両嵌合部材のうちの一方に配されたロックアームと、
他方に配され前記両嵌合部材が嵌合したときに前記ロックアームと係止する係止受け部と、
前記一方の嵌合部材において、この嵌合部材を前記他方の嵌合部材から離脱させるときの操作方向と同一方向にスライド操作可能に組み付けられたスライダーと、
このスライダーと前記ロックアームの少なくとも何れかに設けられ、前記スライダーが前記スライド操作されたときに、この操作に連動して前記ロックアームに対し前記係止受け部から係止が解除される方向に変位させる連係部と、
前記一方の嵌合部材に設けられ、前記ロックアームが前記受け部から係止解除された状態で、前記スライダーと当接してそのスライド操作を規制することにより、前記スライダーを前記一方の嵌合部材と一体化させるストッパ面とを備えてなることを特徴とする嵌合部材。
【請求項２】
前記スライダーは、前記両嵌合部材の嵌合・離脱方向に開口する筒状に形成されるとともに、前記一方の嵌合部材のハウジングの外周を全周に亘って取り囲んだ状態で組み付けられていることを特徴とする請求項１記載の嵌合部材。
【請求項３】
前記スライダーの外面で幅方向両側には、滑り止めのための凹凸をもった指掛け部が形成されていることを特徴とする請求項２記載の嵌合部材。
【請求項４】
前記指掛け部は、前記嵌合部材の嵌合・離脱方向に関する中央部が盛り上がり、この中央部より前記嵌合方向に沿って下り勾配となり、中央部より離脱方向に沿って同様に下り勾配に形成されていることを特徴とする請求項３記載の嵌合部材。
【請求項５】
前記一方の嵌合部材には前記離脱方向に沿って戻しばねが組み込まれ、同戻しばねの一端側は前記一方の嵌合部材の前記ハウジングに当接し、他端側は前記スライダーに当接して前記スライダーを戻し方向に付勢していることを特徴とする請求項１ないし請求項４のいずれかに記載の嵌合部材。
【請求項６】
前記ロックアームは前記一方の嵌合部材のハウジングの外面における幅方向中央部でかつ前記両嵌合部材の嵌合・離脱方向に沿って配されるとともに、このロックアームを幅方向から挟んだ対称位置に前記ストッパ面が配されていることを特徴とする請求項１乃至請求項５のいずれかに記載の嵌合部材。
【請求項７】
前記一方の嵌合部材にはばね収容部が形成され、前記戻しばねは前記ばね収容部の開口端面から内部に挿入されて組み込まれ、かつこのばね収容部の前記開口の周縁部が前記ストッパ面となっていることを特徴とする請求項５又は請求項６記載の嵌合部材。
【請求項８】
前記ロックアームは前記一方の嵌合部材のハウジングにおいて垂直面内でシーソー状に変位可能であり、先端側には前記係止受け部に係止可能なロック爪が形成され、支点を挟んで反対側の端部には解除端部が形成されてなり、さらに、前記解除端部あるいは前記スライダには前記スライダーの前記スライド操作がなされたときに相互に摺接して前記係止部が前記係止受け部との係止を解除する方向に変位させる、前記連係部としての解除案内面が、傾斜面によって形成されていることを特徴とする請求項１乃至請求項７いずれかに記載の嵌合部材。
【請求項９】
前記他方の嵌合部材には係止受け部としてのロック突起が突出形成され、前記両コネクタが嵌合するときにはロックアームは係止部が前記ロック突起を乗り越えて弾性的に復帰することによってロック突起との係止がかかるようになっている一方、前記スライダーの内部には前記ロックアームの前記乗り上げ動作を許容する変位許容空間が保有され、かつ前記解除端部には前記スライダーの対向面側へ向けて解除突部が起立して形成され、前記スライダーの前記対向面には前記解除案内面が形成されていることを特徴とする請求項８記載の嵌合部材。
【請求項１０】
前記両嵌合部材はコネクタであることを特徴とする請求項１乃至請求項９のいずれかに記載の嵌合部材。
【請求項１１】
前記一方の嵌合部材は対応するコネクタに被せ付け可能に形成されたキャップであることを特徴とする請求項１乃至請求項９のいずれかに記載の嵌合部材。
【発明の詳細な説明】
【技術分野】
【０００１】
本発明は例えばコネクタ等の嵌合部材に関する。
【背景技術】
【０００２】
従来、雌雄コネクタの嵌合ロック状態を容易に解除する機構を備えたものとして、例えば下記特許文献１のものが知られている。このものは、一方の側のコネクタにロックアームが配され、他方の側のコネクタには雌雄コネクタが嵌合したときに、ロックアームと係止する係合突部が配されている。また、ロックアームを有する側のコネクタにはハンドル部が設けられ、さらに同ハンドル部にはロック解除用の握りレバーが設けられている。そして、両コネクタが嵌合されている状態で、レバーを握り操作するとレバーに接続された作動片によって、ロックアームがロック解除方向に変位させられ、これによってロックが解除されるようになっている。
【特許文献１】特開２０００−１１３９３４公報
【発明の開示】
【発明が解決しようとする課題】
【０００３】
上記公報のものは、ロックアームの操作に代えてレバーの握り操作によってロック解除を行うものである。つまり、ロックアームの操作部は操作面積も比較的小さいものであることから、操作しにくい。その点、レバーは指全体を引っ掛けての操作であり、ロック解除性の向上は達成できる。
【０００４】
しかし、コネクタを離脱させるためには、上記ロック解除の握り操作に加え、コネクタ同士の引き抜きの操作を行わねばならない。つまり、上記したものでは操作方向の異なる二段階の操作が必要であるため、コネクタの離脱作業のさらなる円滑化を図る余地があった。
【０００５】
本発明は上記のような事情に基づいて完成されたものであって、離脱時の作業性を向上させることができる嵌合部材を提供することを目的とする。
【課題を解決するための手段】
【０００６】
上記の目的を達成するための手段として、請求項１の発明は、相互に嵌合可能な一対の嵌合部材と、両嵌合部材のうちの一方に配されたロックアームと、他方に配され前記両嵌合部材が嵌合したときに前記ロックアームと係止する係止受け部と、前記一方の嵌合部材において、この嵌合部材を前記他方の嵌合部材から離脱させるときの操作方向と同一方向にスライド操作可能に組み付けられたスライダーと、このスライダーと前記ロックアームの少なくとも何れかに設けられ、前記スライダーが前記スライド操作されたときに、この操作に連動して前記ロックアームに対し前記係止受け部から係止が解除される方向に変位させる連係部と、前記一方の嵌合部材に設けられ、前記ロックアームが前記受け部から係止解除された状態で、前記スライダーと当接してそのスライド操作を規制することにより、前記スライダーを前記一方の嵌合部材と一体化させるストッパ面とを備えてなる構成としたところに特徴を有する。
【０００７】
請求項２の発明は、請求項１に記載のものにおいて、前記スライダーは、前記両嵌合部材の嵌合・離脱方向に開口する筒状に形成されるとともに、前記一方の嵌合部材のハウジングの外周を全周に亘って取り囲んだ状態で組み付けられているところに特徴を有する。
【０００８】
請求項３の発明は、請求項２に記載のものにおいて、前記スライダーの外面で幅方向両側には、滑り止めのための凹凸をもった指掛け部が形成されているところに特徴を有する。
また、請求項４の発明は、請求項３記載のものにおいて前記指掛け部は、前記嵌合部材の嵌合・離脱方向に関する中央部が盛り上がり、この中央部より前記嵌合方向に沿って下り勾配となり、中央部より離脱方向に沿って同様に下り勾配に形成されていることを特徴とする。
【０００９】
請求項５の発明は、請求項１ないし請求項４のいずれかに記載のものにおいて、前記一方の嵌合部材には前記離脱方向に沿って戻しばねが組み込まれ、同戻しばねの一端側は前記一方の嵌合部材のハウジングに当接し、他端側は前記スライダーに当接して前記スライダーを戻し方向に付勢しているところに特徴を有する。
【００１０】
請求項６の発明は、請求項１乃至請求項５のいずれかに記載のものにおいて、前記ロックアームは前記一方の嵌合部材のハウジングの外面における幅方向中央部でかつ前記両嵌合部材の嵌合・離脱方向に沿って配されるとともに、このロックアームを幅方向から挟んだ対称位置に前記ストッパ面が配されているところに特徴を有する。
【００１１】
請求項７の発明は、請求項５または請求項６に記載のものにおいて、前記一方の嵌合部材にはばね収容部が形成され、前記戻しばねは前記ばね収容部の開口端面から内部に挿入されて組み込まれ、かつこのばね収容部の前記開口の周縁部が前記ストッパ面となっているところに特徴を有する。
【００１２】
請求項８の発明は、請求項１乃至請求項７いずれかに記載のものにおいて、前記ロックアームは前記一方の嵌合部材のハウジングにおいて垂直面内でシーソー状に変位可能であり、先端側には前記係止受け部に係止可能な係止部が形成され、支点を挟んで反対側の端部には解除端部が形成されてなり、さらに、前記解除端部あるいは前記スライダには前記スライダーの前記スライド操作がなされたときに相互に摺接して前記係止部が前記係止受け部との係止を解除する方向に変位させる、前記連係部としての解除案内面が、傾斜面によって形成されているところに特徴を有する。
【００１３】
請求項９の発明は、請求項８記載のものにおいて、前記他方の嵌合部材には係止受け部としてのロック突起が突出形成され、前記両嵌合部材が嵌合するときにはロックアームは係止部が前記ロック突起を乗り越えて弾性的に復帰することによってロック突起との係止がかかるようになっている一方、前記スライダーの内部には前記ロックアームの前記乗り上げ動作を許容する変位許容空間が保有され、かつ前記解除端部には前記スライダーの対向面側へ向けて解除突部が起立して形成され、前記スライダーの前記対向面には前記解除案内面が形成されているところに特徴を有する。
【００１４】
請求項１０の発明は、請求項１乃至請求項９のいずれかに記載のものにおいて、前記両嵌合部材はコネクタであるところに特徴を有する。
【００１５】
請求項１１の発明は、請求項１乃至請求項９のいずれかに記載のものにおいて、前記一方の嵌合部材は対応するコネクタに被せ付け可能に形成されたキャップであるところに特徴を有する。
【発明の効果】
【００１６】
＜請求項１の発明＞
請求項１の発明によれば、ロックアームと係止受け部とが係止状態にある嵌合状態から、嵌合部材同士を離脱させる場合には、スライダーを嵌合部材同士の離脱方向に沿ってスライドさせる。このスライド動作に連動して連係部がロックアームを係止解除方向に変位させ、係止受け部との係止が解かれる。これと共に、スライダーが一方の嵌合部材に形成されたストッパ面と当接して、それ以上のスライド操作が規制される結果、スライダーは一方の嵌合部材と一体化されるため、引き続きスライダーに対し同方向への操作力、つまりは他方の嵌合部材から離脱させる方向への操作力が加えられると、他方の嵌合部材からの抜き取りがなされる。このように、請求項１の発明によれば、スライダーのスライド操作を行うだけで、ロックアームによる係止の解除と離脱の二つの動作を行わせることができる。かくして、嵌合部材の離脱作業を円滑に行うことができる。
【００１７】
＜請求項２の発明＞
請求項２の発明によれば、スライダーは一方の嵌合部材のハウジングの外周を全周に亘って取り囲んでいるため、両者の間に異物が噛み込むことが抑制され、スライダーの操作の円滑さを保持することができる。
【００１８】
＜請求項３，４の発明＞
請求項３の発明によれば、嵌合部材同士を離脱させる際には両指掛け部をつまんで嵌合部材の離脱方向へ操作すればよい。このときには、嵌合部材を取り囲む程の大きさをもったスライダーを幅方向から摘み操作でき、かつ指掛け部には滑りとめが形成されているため、離脱操作を行いやすい。
また、請求項４の発明によれば、指掛け部は中央部を境にして勾配を変えてあるため、嵌合・離脱の作業のときの指の掛かりをよくすることができる。
【００１９】
＜請求項５の発明＞
請求項５の発明によれば、一方の嵌合部材内に設けられた戻しばねによってスライダーを初期の組み付け位置に自動的に戻すことができるため、人手による戻し操作は不要となる。
【００２０】
＜請求項６の発明＞
請求項６の発明によれば、ストッパ面がロックアームを挟んで対称位置に配されているから、嵌合部材同士を離脱させる際の操作力をバランスよく嵌合部材に作用させることができる。
【００２１】
＜請求項７の発明＞
請求項７の発明によれば、ばね収容部を利用してストッパ面を形成するため、嵌合部材の構造を簡素化することに寄与する。
【００２２】
＜請求項８の発明＞
請求項８の発明によれば、両嵌合部材の嵌合状態からスライダーをスライド操作すると、スライダーあるいは解除端部のいずれかに形成された解除案内面が相手側と摺接して解除端部に対し、係止部が係止受け部との係止を解除する方向へ変位させる力を作用させ、もってロックアームによるロック解除を円滑に行わせる。
【００２３】
＜請求項９の発明＞
請求項９の発明によれば、次のような作用効果を発揮することができる。スライダーが嵌合部材の全周を外方から覆う構造をとると、スライダーの内部にはロックアームがロック突起を乗り上げるのに必要な高さをもった変位許容空間を確保しなければならない。すると、ロックアームにおいて支点を挟んだ反対側ではスライダーとの間に変位許容空間と同様な高さのギャップができる。そこで、ロックアーム側からスライダーへ向けて解除突部を起立させれば、スライダー側に形成された解除案内面との摺接も可能になり、ロック解除動作を確実になしうる。
【００２４】
＜請求項１０、請求項１１の発明＞
嵌合部材がコネクタあるいはこれに被せ付けられるキャップに適用されても、上記した作用効果を得ることができる。
【発明を実施するための最良の形態】
【００２５】
＜実施形態１＞  
（コネクタの配置）  
本発明の実施形態１を図１ないし図２４によって説明する。図１において、１はいわゆるピックアップカーと呼ばれる車両であり、これに見られるように、車両の後部に荷台２を備え、その後部には開閉かつ荷台から取り外し可能なテールゲート３が装着されている。このテールゲート３にはバックモニターと呼ばれる、荷台の後方の状況を運転席において確認するための電気機器等（図示しない）が取り付けられている。このため、荷台２を含む車両ボディｂ側とテールゲート３側とは電気配線によって接続され、また必要に応じてテールゲート３が取り外されたときのために、この電気配線の途中は離脱可能なコネクタ４，５によって接続がなされている。そして、車両ボディｂ側の電気配線の端部には雄コネクタ４が接続され、テールゲート３側の電気配線の端部には雌コネクタ５が接続されている。
【００２６】
（保持具）  
この実施形態においては、図２〜図４に示すように、コネクタ４，５はその不使用時に被せ付けられるキャップ８１，８４と共に保持具８によって車両ボディｂ側に保持されている。保持具８は例えば合成樹脂材料によって一体に成形されており、ボディｂのパネルに貫通して形成された取付け孔９へ挿通される脚部１０を有している。また、脚部１０の途中にはカバー片１１が張り出しており、取付け孔９を覆うようにしている。さらに、脚部１０の基部にはコネクタ４，５及びキャップ８１，８４を保持するための保持部１２が連続している。保持部１２は図５における右側がコネクタ用保持部１２ａとされ、左側がキャップ用保持部１２ｂとされており、共に同一構造に形成されている。両保持部１２ａ，１２ｂは、後に詳細を説明するが、雄コネクタ４のハウジング１３あるいは雌コネクタ用キャップ８１に形成された保持枠２７，２７ａ内に案内されながら差込み可能な略Ｔ字状部１５を有し、かつここには引掛け片１６が形成されて雄コネクタ４あるいは雌コネクタ用キャップ８１に形成された装着爪１４，１４ａが弾性的に係止可能である。
【００２７】
（雄コネクタ）  
図６には雄コネクタ４の構成部品が示されている。雄コネクタ４は合成樹脂製のコネクタハウジング１３、電線ｗ端末に接続された雄端子金具１７、雄端子金具１７の抜け止めのためのリテーナ１８とからなっている。
【００２８】
雄端子金具１７は端子本体部１７ａを有し、その先端には雌端子金具３５と接続するタブ部１７ｂが形成されている。端子本体部１７ａは途中に係止凹部１７ｃが凹み形成されている。また、端子本体部１７ａの後部には電線ｗの芯線と接続されるワイヤバレル２０が連続し、さらにその後部には電線被覆の端末に嵌め付けられたゴム栓２２と共に電線被覆をかしめ付けるインシュレーションバレル２１が連続している。
【００２９】
雄コネクタハウジング１３は図１５に示すように、雄端子金具１７を収容する端子収容部２３を有し、その前部には前方へ開口する筒状をなすフード部２４が備えられている。このフード部２４の外面であって長辺側の一面には係止受け部としてのロック突起２５が突出形成されている。このロック突起２５はフード部２４の幅方向中央でかつやや開口端寄りの位置に配されている。また、その両側にはロック突起２５とほぼ同じ高さを持つ一対の保護壁２６が長さ方向に沿って立設されている。一方、雄コネクタハウジング１３の外面であってロック突起２５が設けられている面と反対側には、撓み変形可能でかつ前述した保持具８に対して弾性的に係止可能な装着爪１４を有した保持枠２７が配されている。保持枠２７はフード部２４の開口側（嵌合面側）とは反対向きに開口する差込み口２８を有し、前述したコネクタ用保持部１２ａのＴ字状部１５を受け入れ可能である。
【００３０】
なお、フード部２４の外面で保持枠２７が設けられている側の面には、フード部２４の開口縁から保持枠２７に至るまでの間にわたり、幅方向中央から一方側に偏った位置に雌雄コネクタ４，５の嵌合ガイドを兼ねた誤嵌合防止リブ２９が突出形成されている。
【００３１】
端子収容部２３は雄端子金具１７が挿通されるキャビティ３０が図示４室、幅方向に並列しかつそれぞれが前後方向に沿って貫通して形成されている。各キャビティ３０内であってフード部２４の奥壁と連続する部分には雄端子金具を一次係止させるランス３１が、斜め前方へ向けて片持ち状に延びており、雄端子金具１７の通過時に撓み、通過後には復帰して係止凹部１７ｃに対して弾性的に係止可能である。また、端子収容部２３の後部は電線のゴム栓２２を収容すためのシールタワー部３２となっており、このシールタワー部３２に対応する各キャビティ３０は円筒状に形成されている。
【００３２】
リテーナ１８は、端子収容部２３の前端部に外側から嵌合可能なリテーナ本体部１８ａを有し、各キャビティ３０にそれぞれ連通する窓部３３が並列して開口している。また、リテーナ本体部１８ａの前面中央には雌雄コネクタ４，５の嵌合ガイドを兼ねたつまみ片３４が前方へ向けて突出している。このつまみ片３４を把持してリテーナ１８を正規深さまで端子収容部２３に嵌着することにより、リテーナ１８はその一部が各ランス３１の撓み空間内にそれぞれ進入してランス３１の撓み規制を行い、もって雄端子金具１７に対するランス３１の二次係止を可能にする。
【００３３】
（雌コネクタ）  
図９には雌コネクタ５の構成部品が示されている。雌端子金具３５は略角筒状に形成された接続筒部３６を有し、雄端子金具１７のタブ部１７ｂを挿通して電気的に接続状態とすることができる。接続筒部３６の外面には突部３７が形成され、この突部３７に対してランス４５が係止することによってキャビティ４４から抜け出ないようにしている。また、接続筒部３６の後方には電線ｗの芯線と接続されるワイヤバレル３８が連続し、さらにその後部には電線被覆の端末に嵌め付けられたゴム栓４０と共に電線被覆をかしめ付けるインシュレーションバレル３９が連続している。
【００３４】
雌コネクタハウジング４１は合成樹脂材によって一体に形成されている。雌コネクタハウジング４１は内部に雌端子金具３５を収容する端子収容部４２を有し、この端子収容部４２を取り囲むようにして外筒部４３が形成されており、端子収容部４２と外筒部４３との間には雄コネクタ４が嵌合可能である。また、端子収容部４２には図示４室のキャビティ４４が幅方向に沿って並列して形成され、前後に貫通して形成されている。各キャビティ４４内の前端寄りには斜め前方へ向けて片持ち状に延びるランス４５が配されており、雌端子金具３５における突部３７に弾性的に係止可能である。なお、各キャビティ４４はランス４５が前方へ露出されるように、開放して形成されている。さらに、端子収容部４２の後部（各キャビティ４４を構成する部分の後部）はシールタワー部４６となっており、雌端子金具３５のゴム栓４０を収容している。
【００３５】
端子収容部４２の側面には全キャビティを横切るようにしてリテーナ挿通孔４７が貫通している。より具体的には、リテーナ挿通孔４７は図１５等に現れるように、ゴムリング４８（後述する）より前方でありランス４５の後方を横切るように、キャビティ壁を貫いている。
【００３６】
一方、リテーナ４９は合成樹脂材にて各雌端子金具３５に対して係止可能な端子係合部５０と、その一端部に形成された操作片５１とを備えている。リテーナ４９は、外筒部４３においてリテーナ挿通孔４７と対向する位置に開口して形成された通し孔５２を経て端子収容部４２への装着がなされる。そして、上記したリテーナ挿通孔４７に対しては端子係合部５０が挿通可能とされ、詳細には図示しないが、リテーナ４９は端子収容部４２に対し浅く差し込まれた状態で係止する位置（仮係止位置）と、より深く差し込まれた状態で係止する位置（本係止位置）との二位置でそれぞれ保持される。本係止位置では、各雌端子金具３５に対応して形成された係止突起が各キャビティ４４内に進入して雌端子金具３５の接続筒部３６の後端に係止し、ランス４５と併せて雌端子金具３５を二重に係止する位置のことを言う。一方、仮係止位置では、各係止突起が対応するキャビティ４４から退避して雌端子金具３５がキャビティ４４に対して抜き差しを自在にする。
【００３７】
さらにまた、端子収容部４２の奥端部にはリング状をなすゴムリング４８が嵌着されており、雌雄両コネクタ４，５が嵌合した状態では、雄コネクタ４のフード部２４の開口縁がゴムリング４８の外周縁に密着し、これによって両コネクタ４，５間の水密性が確保される。また、端子収容部４２の前端面で幅方向中央部には、雄コネクタ４におけるリテーナ１８のつまみ片３４が適合して挿入される差込み孔５３がスリット状にかつ縦向きに開口している。
【００３８】
端子収容部４２の前端部にはフロントホルダー５４が嵌着されている。フロントホルダー５４は端子収容部４２の前端部を外側から被せ付け可能なキャップ状に形成され、装着状態ではその後端縁がゴムリング４８の前縁に当接可能とされ、雌雄コネクタ４，５の離脱時にゴムリング４８が連れ立って抜け出ないようにしている。さらに、フロントホルダー５４は雌端子金具３５の接続筒部３６の前端部を受入れ可能であり、かつ雌端子金具３５がキャビティ４４内に挿入されるときに、接続筒部３６の前端面をその内面に当接させて雌端子金具３５の前止まりを行う。さらにまた、フロントホルダー５４の前面にはキャビティ４４と同軸でタブ挿通孔５５が貫通し、かつ幅方向中央部には雄コネクタ４側のつまみ片３４に対する逃がし孔５６が縦向きに貫通し、端子収容部４２側の差込み孔５３と整合して連通する。また、フロントホルダー５４の前面における幅方向の一方の端部から側面にかけての部分にはスリット状に操作溝５７が切り欠き形成され（図９参照）、リテーナ４９に対する前記仮係止位置と本係止位置との間の移動操作を適切な治具によってフロントホルダー５４の前面側から行うことができるようにしている。さらに、フロントホルダー５４の側面であって操作溝５７と連通する箇所には切り欠き凹所５８が形成され、リテーナ４９の操作片５１が適合して嵌り合う、つまりリテーナ４９が正規に装着された状態では操作片５１とフロントホルダー５４の周辺とがほぼ面一をなして嵌合し合えるようにしてある。
【００３９】
なお、雌雄のコネクタ４，５が正規方向で向き合ったときに、外筒部４３の内面で雄コネクタ４側の誤嵌合防止リブ２９と適合して嵌り合う位置には受け溝５９が凹み形成され、外筒部４３の開口縁から外筒部４３の奥壁に至る範囲に亘って延びている。したがって、雄コネクタ４が雌コネクタ５に対して正規嵌合姿勢から反転した状態で嵌合しようとしても、誤嵌合防止リブ２９と受け溝５９とが整合せず干渉し合う結果、誤嵌合であることが作業者に認識される。
【００４０】
また、外筒部４３の外面において受け溝５９が設けられているのと反対側には、その全長に亘って方形窓枠状の保護枠６０が立設されている。この保護枠６０の内側は開口となっていて、外筒部４３内部である雄コネクタ４の嵌合空間へと通じている。保護枠６０は、前後方向の全長にわたって立設された一対の側壁６０ａと、両側壁６０ａの前端同士を外筒部４３の前端縁と面一をなして接続する前壁６０ｂと、両側壁６０ａの後端同士を外筒部４３よりさらに後方へ突出した状態で接続する後壁６０ｃとからなっている。
【００４１】
なお、両側壁６０ａの外面で外筒部４３の開口面寄りには図１０あるいは図１３に示すような規制爪６１が形成されていて、後述するスライダー６２と係止してスライダー６２が前方へ抜け出さないようになっている。
【００４２】
この保護枠６０の内側にはロックアーム６３が前後方向に沿って配されている。ロックアーム６３は雌雄コネクタ４，５が正規に嵌合したときに、その前端寄りに貫通するロック孔６４（本願発明の係止部に相当する）内に雄コネクタ４のロック突起２５を係止させて両コネクタ４，５を嵌合状態にロックする役割を果たす。ロックアーム６３はその幅方向両側縁で、かつ長さ方向の途中位置において対面する側壁６０ａとそれぞれヒンジ片６４を介して接続され、このヒンジ片６４を中心として垂直面内でシーソー状に撓み変位する。また、ロックアーム６３の後端下面と端子収容部４２の後端面上部との間には左右に分かれて一対の連結片６５によって連結されていて、ロックアーム６３の後端に対し持ち上げ方向の強い外力が作用した場合に、ロックアーム６３の過度の持ち上げによるヒンジ片６４の破断を未然に回避することができる。さらに、ロックアーム６３の上面後端であって、幅方向両端には一対の解除突部６６（本願発明の解除端部）が上方へ向けて突出形成されている。但し、両解除突部６６の上端の高さ位置は保護枠６０（側壁６０ａ）よりも高く形成され、さらに上方へ突出するようにして形成されている。
【００４３】
外筒部４３の外面であって保護枠６０（両側壁６０ａ）の外側方、言い換えればロックアーム６３を幅方向から挟んだ位置には一対のばね収容部６７が配されている。両ばね収容部６７は外筒部４３の外面の長さ方向の途中位置から外筒部４３の後端に至るまでの長さ範囲に亘って形成され、それぞれは前方へ開口する略円筒状に形成されている。また、両ばね収容部６７内には戻しばね６８（コイルスプリング）がそれぞれ収容されており、次述するスライダー６２を戻し方向に付勢する役割を果たす。なお、戻しばね６８の外周形状に適合させるために、この実施形態では両ばね収容部６７内の下面の全長さ範囲を含み、さらにここから前方へ所定長さはみ出た範囲にわたって連続する円弧状の逃がし溝６９が凹設されている。
【００４４】
スライダー６２は雌コネクタハウジング４１に対しその嵌合面側から外嵌可能な筒状に形成され、その外面には開口を有することなく前後方向に貫通して形成されている。スライダー６２は雌コネクタハウジング４１に組付けられた状態では、雌雄コネクタ４，５の嵌合・離脱方向に沿ってスライド可能である。そして、詳細には図示はしないが、スライダー６２の内面には複数個所にがた詰めのためのリブが上記嵌合・離脱方向（前後方向）に沿いつつ所定範囲に亘って形成され、雌コネクタハウジング４１との接触面積を減らしてスライド操作が低い操作力でもって行えるようになっている。また、スライダー６２が組み付けられたときに、保護枠６０と対応する位置、つまり前面上部の中央には保護枠６０との干渉を避けるためのアーチ部７０が前後方向に沿って形成されている。さらに、スライダー６２の内面であってアーチ部７０を挟んだ両側には両ばね収容部６７と嵌合可能なばね受け７１が凹み形成されている。両ばね受け７１はスライダー６２の後方へは開放するが、前端側は当て壁７２が形成されて閉じられており、戻しばね６８の前端と当接している。さらにまた、ばね受け７１とアーチ部７０との仕切り壁となっている部分７１ａの長さ方向中央部には前記した規制爪６１と解除可能に係止する引っ掛け爪７３が形成されている。スライダー６２を雌コネクタハウジング６２に対して組み付けるときには、戻しばね６８をばね収容部６７内へ圧縮しつつ押し込み、図１３に示すように、規制爪６１と引っ掛け爪７３とが係止し合うようにする。これにより、スライダー６２は前方への抜けが規制された状態で保持される。したがって、スライダー６２は図１３に示す状態が初期の組み付け位置となり、この状態ではスライダー６２の前面と雌コネクタハウジング４１の前面とが面一となっている。また、スライダー６２は初期の組み付け位置から後方へのスライドストロークが規制されており、このときの規制は図１４に示すように、当て壁７２がばね収容部６７の前端の開口周縁をストッパ面７４として、ここに当接し、もってこれ以上の後退操作を規制する。
【００４５】
本実施形態では、スライダー６２の幅方向両側面には滑り止めのための凹凸をもった指掛け部７５が形成され、スライダー６２の後退操作の際のつまみ操作を行い易くしている。
【００４６】
また、スライダー６２は図９に示すように、上面の後端中央部に張り出し部７６が形成され、後方へ水平に張り出している。そして、この張り出し部７６にかけての範囲にはスライダー６２の操作方向を示す矢印型の指標７７が全体を僅かに盛り上げて形成されている。一方、張り出し部７６の裏面側にはロックアーム６３に対してロック解除動作を行わせるための解除案内面７８が形成されている。両解除案内面７８はロックアーム６３の両解除突部６６と対応した位置に一対配置してあり、それぞれは図１５等に示すように、後方へ向けて上り勾配をなす傾斜面が形成されるように、当該部位を除肉することによって形成されている。そして、同図から明らかなように、スライダー６２が初期位置にあるときには両解除突部６６は対応する解除案内面７８の途中に当接している。したがって、スライダー６２が後方へ操作されると、この操作に伴って解除突部６６には押し下げ方向の力が作用するため、ロックアーム６３は前端側が持ち上げられる。そして、解除突部６６が解除案内面７８を通過し、スライダ６２内面の水平面に差し掛かった時点でロック突起２５との係止解除が可能となるような設定としてある（図１９参照）。なお、ロックアーム６３がロック突起２５との係止を解除する位置まで前端側での変位がなされたときに、スライダー６２との干渉を避けるために、スライダー６２の前面上部側開口縁であって、幅方向中央部には干渉回避凹所７９が形成されている。また、スライダー６２内部におけるロックアーム６３の上方の空間（保護枠６０内の空間）は所定の高さが確保されており（図１６参照）、同空間は雌雄コネクタ４，５が嵌合する際にロックアーム６３がロック突起２５を乗り上げるに必要な変位を許容する変位許容空間８０となる。
【００４７】
（雌コネクタ用キャップ）  
雌コネクタ用キャップ（以下、雄型キャップ８１という。）は、基本的には雄コネクタハウジング１３と近似した形態となっているため（図２１乃至図２３、および図３参照）、機能的にあるいは形態的に同一のものには同一符号（但し、符号末尾にｐを付けて区別する）をもって説明する。このように、雄型キャップ８１と雄コネクタ４とは近似した形態に形成されているため、雄型キャップ８１を雄コネクタ４と誤って雌コネクタ５との嵌合作業を行うことが懸念される。そこで、本実施形態では雄コネクタ４とは異なる着色を施して成形することによって対策が採られている。
【００４８】
雄型キャップ８１は、雌コネクタ５における端子収容部４２と外筒部４３との間の空間へ嵌合可能な筒状に形成されており、詳細には後半部は略方形断面をもって形成され、前半部は略長円形断面をもって形成されている。但し、雄型キャップ８１は雄コネクタハウジング１３とは異なり、奥壁は閉止板８２となって閉じた平坦面に形成されている。また、雄型キャップ８１の内部における両短辺部の中央高さ位置には一対の嵌合規制板８３が対向する様にして張り出している。この嵌合規制板８３は図２３および図３に示すように、雄型キャップ８１内に雌コネクタ５が正規深さまで嵌合されたとき、あるいは次述する雌型キャップ８４と正規深さで嵌合したときに、雌コネクタ５のフロントホルダー５４前面あるいは雌型キャップ８４のフロントホルダー５４ｐ前面と当接することにより、嵌合深さを規制することができる。さらに、雄型キャップ８１の内部には両長辺間を幅方向中央部で連結するガイド板８５が縦向きに設けられている。このガイド板８５は雄型キャップ８１の奥壁から前後方向に沿って延び、上記した両嵌合規制板８３よりもさらに前方へ突出する長さ寸法をもって形成されている。但し、ガイド板８５において嵌合規制板８３よりも前方へ突出する先端部分は基部側に比べて上下両側から切り欠かれて短尺部８５ａとされている。具体的には、つまみ片３４とほぼ同寸に形成され、雄型キャップ８１が雌コネクタ５と嵌合するときには、フロントホルダー５４の逃がし孔５６を介して雌コネクタハウジング４１の差込み孔５３へ挿通される。
【００４９】
また、雄型キャップ８１の外面の前半部には、雄コネクタ４と同様に、ロック突起２５ｐとその両側の保護壁２６ｐが備えられている。さらに、雄型キャップ８１の後半部の外面でかつロック突起２５ｐが配された面と隣接した面（直角にずれた面）には雄コネクタと同様の保持枠２７ｐが設けられている。保持枠２７ｐ内に形成された装着爪１４ｐは、雄コネクタ４に設けられたものでは、爪の係止部位が垂直に切り落とされていることから保持具８側の引掛け片１６とは面当たりし、高い係止力を得る設定となっていたが、雄型キャップ８１に設けられたものでは装着爪１４ｐの係止部位は逆テーパー面（図３においてＴで示される面）としてあり、これによって引掛け片１６とはほぼ点当たりで係止代が浅く、もって相対的に係止力が低くなるような設定としてある。
【００５０】
さらに、雄コネクタ４においては、保持枠２７が配された面はロック突起２５が設けられている面と反対側であったのに、雄型キャップ８１では隣接した面とされている点で相違している。この相違により、保持具８に対する取り付け姿勢が図２に示すように、雄型キャップ８１では縦向きであるのに、雄コネクタ４では横向きとなる。この点の相違は、後に詳述するような意義を持つ。
【００５１】
さらにまた、雄型キャップ８１において保持枠２７ｐが設けられた側と反対側には、指掛け部８６が形成されている。
【００５２】
（雄コネクタ用キャップ）  
雄コネクタ用キャップ（以下、雌型キャップ８４という。）は、基本的には雌コネクタ５と近似した形態となっているため（図３および図２４参照）、機能的にあるいは形態的に同一のものには同一符号（但し、符号末尾にｐを付けて区別する）をもって説明する。このように、雌型キャップ８４と雌コネクタ５とは近似した形態に形成されているため、雄型キャップ８１と同様に、雌コネクタ８とは異なる着色を施して誤嵌合への対応が図られている。
【００５３】
雌型キャップ８４の構成部品は、基本的に雌コネクタ５と同様であるが、リテーナ４９を備えない点が相違するだけで、ハウジング４１ｐ（雌コネクタハウジング４１とは若干相違する構成となっている）、ゴムリング４８ｐ、スライダー６２ｐ、フロントホルダー５４ｐ、戻しばね（図示されない）を備える点は共通である。ハウジング４１ｐは雌コネクタハウジング４１の各キャビティ４４に対応する構造を備えるが、端子金具の挿入の必要がないことから、ハウジング４１ｐの後面は閉じられて平坦な閉止面８８が形成されている。また、リテーナを必要としないことから、端子収容部４２ｐのリテーナ挿通孔および外筒部４３ｐの通し孔は形成されていない。これら構造を除き、他は雌コネクタハウジング４１と共通の構造となっている。
【００５４】
但し、ハウジング４１ｐに形成されたロックアーム６３ｐは、雄型キャップ８１のロック突起２５ｐに係止可能であるとともに、雄コネクタ４のロック突起２５にも係止可能であり、これらの係止解除はいずれも雌型キャップ８４に備えられたスライダー６２ｐの後退操作によって可能となる。
【００５５】
ところで、雄型キャップ８１の保持具８に対する保持力、つまり雄型キャップ８１側の装着爪１４ｐと保持具８側の引掛け片１６との係止力は、雌型キャップ８４と雄型キャップ８１との係止力、つまりスライダー６２ｐを後退させて雌雄キャップを離脱させるに必要な力（図示されない戻しばねのばね力、スライダー６２ｐとハウジング４１ｐ間の摩擦力、両キャップ８１，８４間の摩擦力等の総和）よりも十分に低く設定されている。したがって、雄型キャップ８１を摘んで引き抜き操作したときは勿論のこと、スライダー６２ｐの後退操作を行ったとしても、キャップは雄型側のみが保持具８に残される形態でなく、雄型・雌型の双方が嵌合した状態で取り外されることになる。また、雄コネクタ４の保持具８に対する保持力、つまり雄コネクタ４の装着爪１４と保持具８側の引掛け片１６との係止力は、雌雄両コネクタ４，５同士の係止力よりも高く設定されている。したがって、雌雄コネクタ４，５の取り外し時には、雄コネクタ４が保持具８に取り残された状態で、雌コネクタ５が離脱されることになる。
【００５６】
次に、上記のように構成された本実施形態の作用効果を具体的に説明する。テールゲート３が車両に装着された状態においては、図２に示すように、雌雄両コネクタ４，５と雄型・雌型の両キャップ８１，８４は共に嵌合状態で、保持具８のコネクタ用保持部１２ａとキャップ用保持部１２ｂとにそれぞれ並列した状態で保持されている。
【００５７】
上記の状態で、テールゲート３を取り外す必要が生じた場合には、雌雄両コネクタ４，５を分離しなければならない。その場合には、まず雄型・雌型の両キャップ８１，８４の保持具８からの取り外し作業がなされる。すなわち、雄型キャップ８１を保持具８から抜き取るべく、図３に示す左方へ引っ張る。このとき、雄型キャップ８１の装着爪１４ｐの係止部位は逆テーパ面Ｔをもって保持具８側の引掛け片１６に係止しているため、雄型キャップ８１に対する抜き取り操作に伴って装着爪１４ｐは係止解除方向に撓み変形し、これによって雄型・雌型両キャップ８１，８４を相互に嵌合したままの状態で保持具８から抜き取ることができる。上記の抜き取りに際し、本実施形態では図２に示すように、保持具８に対する両キャップ８１，８４の保持姿勢を両コネクタ４，５側とは変えて、縦向きにしている。これにより、雌型キャップ８４におけるスライダー６２ｐの指掛け部８６が車両ボディｂと対向し、この間に作業者の指が入りにくい状況が作られている。したがって、スライダー６２ｐの操作によって保持具８からの取り外しに先立って雌雄両キャップ８１，８４を離脱させようとする誤った作業が未然に回避されている。加えて、仮にスライダー６２ｐが操作されたとしても、嵌合状態にある両キャップ８１，８４の離脱力よりも保持具８から雄型キャップ８１を離脱させる力の方が小さい設定としてあるため、両キャップ８１，８４が嵌合されたまま保持具８から抜き取られ、雄型キャップ８１のみが保持具８側に取り残されることはない。
【００５８】
次に、スライダー６２ｐの両指掛け部７５ｐを把持して後方、つまり雄型・雌型両キャップ８１，８４を分離させる方向に沿って引っ張り操作を行う。この操作に伴って、ロックアーム６３ｐとロック突起２５ｐとの係止が解除されるが、このときの動作は雌雄コネクタ４，５の離脱の際の動作（図１８から図２０参照）と同様であるため、直後の説明に譲る。
【００５９】
かくして、両キャップ８１，８４が切り離され、共に単体の状態となる。その後（あるいはこれに先立って）雌雄コネクタ４，５の離脱作業がなされる。スライダー６２を幅方向から摘んで後退させると、ロックアーム６３の両解除突部６６が解除案内面７８の傾斜に沿って摺接する。これにより、ロックアーム６３の両解除突部６６には押し下げ方向の分力が作用するため、ロックアーム６３はヒンジを中心としてシーソ状に変位し、前端側が持ち上がる（図１８状態）。さらに、スライダー６２が後退し、解除突部６６が解除案内面７８を通過し、スライダー６２内面のストレート部に移行すると、ロックアーム６３先端はスライダー６２の干渉回避凹所７９内に入り込み、両ロック孔６４がロック突起２５から外れる（図１９状態）。
【００６０】
一方、スライダー６２の後退操作がなされる間は、戻しばね６８の圧縮動作が進行するため、後退操作は両戻しばね６８のばね力に抗してなされるが、戻しばね６８はロックアーム６３を挟んで対称に配置されているため、スライダー６２は幅方向にバランスよくこじりなく操作することができる。そして、図１９に示すようなロックが解除された時点では図１４に示すように、当て壁７２がばね収容部６７のストッパ面７４に当接して、これ以上に戻しばね６８の圧縮を行い得ない状態となった以降は、スライダー６２と雌コネクタハウジング４１とが一体化する。したがって、スライダー６２の後退操作によって雌コネクタハウジング４１には雄コネクタ４から離脱する方向の力が作用するため、雌コネクタハウジング４１を雄コネクタ４からそのまま抜き取ることができる。なお、雌雄コネクタ４，５の離脱力は保持具８に対する雄コネクタ４の離脱力よりも小さく設定されているため、雄コネクタ４は保持具８に保持されたまま雌コネクタ５のみ抜き取ることができる。かくして雌雄両コネクタ４，５が分離されれば、雄コネクタ４に対しては雌型キャップ８４が、また雌コネクタ５に対しては雄型キャップ８１がそれぞれ被せ付けられる。
【００６１】
雌コネクタ５と雄型キャップ８１との嵌合作業は、図２３に示すように、雄型キャップ８１を雌コネクタ５における端子収容部４２と外筒部４３との間へ嵌め合わせることによってなされる。この間、ガイド板８５が逃がし孔５６および差込み孔５３へ挿通されてゆくと同時に、ロックアーム６３の先端が雄型キャップ８１のロック突起２５ｐを乗り上げるよう変位する。そして、両嵌合規制板８３が雌コネクタ５のフロントホルダー５４の前面に当接すると、ロックアーム６３はロック突起２５ｐを乗り越え、ロック孔６４に入り込む。これによって、雄型キャップ８１は雌コネクタ５に対して抜け止めされた状態で被せ付けられる（図２３状態）。
【００６２】
両者のロック状態を解除するには、スライダー６３の後退操作を行えばよい。これにより、前記した動作順にて両者のロック解除と共に離脱も併せて行うことができる。
【００６３】
一方、雄コネクタ４と雌型キャップ８４との嵌合作業は、図２４に示すように、雄コネクタ４は保持具８に保持されたままの状態、つまり車両ボディｂ側に保持された状態で、両者の嵌合がなされる。この嵌合により、雄端子金具１７のタブ部１７ｂは対応する各キャビティ（実際にはキャビティとしての機能はない）へと差し込まれると同時に、ロックアーム６３ｐがロック突起２５を乗り上げ、両者が正規深さで嵌合すると、ロックアーム６３ｐは復帰し、ロック突起２５に係止する。これにより、雌型キャップ８４は雄コネクタ４に対して抜け止めされた状態で被せ付けられる（図２４状態）。なお、両者のロック解除は、やはりスライダー６３の後退操作によって可能となる。
【００６４】
かくして、雌雄両コネクタ４，５に対するキャップ８４の被せ付けが完了すれば、これと前後してテールゲート３の取り外しがなされる。テールゲート３側には雄型キャップ８１が被せ付けられた雌コネクタが電気配線と共に、車両ボディｂ側には全体が保持具８に保持された状態でのキャップ付き雄コネクタ４がそれぞれ分離して配され、雌雄両コネクタ共に防塵・防水が達成されている。
【００６５】
テールゲート３を再度装着する場合には、上記とは逆順にして雌雄両コネクタ４，５からのキャップ８１，８４の取り外しがなされる。そのいずれの場合にも、スライダー６２，６２ｐの後退動作によってキャップ８１，８４の取り外しを簡単に行うことができる。そして、雄型・雌型両キャップ８１，８４同士の嵌合も、雌雄両コネクタ４，５同士の嵌合も基本的には同様の動作であり、さらにはコネクタと対応するキャップとの嵌合動作と同じであるため、これ以上の説明は省略する。
【００６６】
本実施形態の効果を以下に列挙する。
（１）雌雄コネクタ４，５同士、雄型・雌型キャップ８１，８４同士、あるいはキャップと対応するコネクタとのロック状態を解除し、さらには離脱まで行わせる場合に、スライダー６２，６２ｐを後退操作する、という単一の操作を行うだけでよい。したがって、従来のようにロックアームの操作を行った上で、抜き取りの操作を行う、という二段階の操作を必要としないため、ロック解除の作業性に優れる。
（２）スライダー６２，６２ｐは全周に開口を有さず、コネクタあるいはキャップのハウジングの外周を包み込むため、異物の進入をできるだけ回避でき、スライダーの円滑な操作性を保持することに寄与する。
（３）ストッパ面７４をロックアーム６３，６３ｐを挟んで対称に配置したため、スライダー６２，６２ｐの後退操作をバランスよく行うことができる。
（４）ばね収容部６７を利用してストッパ面７４を形成するようにしたため、別途に形成する場合に比べてコネクタ構造を簡素化することができる。
（５）ロックアーム６３はロック突起２５を乗り越え可能な変位空間をスライダー６２，６２ｐ内に確保した状態で配置されている。このように、ロックアーム６３とスライダー６２，６２ｐとの間のギャップを埋めるようにしてロックアーム６３から解除突部６６を起立させ、これによってスライダー６２，６２ｐの後退動作と連動するロック解除機構を成立させている。かかる構造の採用により、スライダー６２，６２ｐには開口を設けることなく外周面が閉止した形態を採用することが可能となった。
（６）雌雄両コネクタ４，５に被せ付けられるキャップ８１，８４をコネクタに並んで保持具８に保持させるようにしたため、キャップ８１，８４の紛失の虞がない。また、キャップ８１，８４を嵌合状態で保持するため、個別に保持する場合に比較して管理スペースも小さくて済む。
（７）キャップ８１，８４が保持具８に保持されている状態では、指掛け部７５ｐの一方側を車両ボディｂに対向する姿勢となるように設定したため、スライダー６２ｐによる操作を困難にし、もって雄型キャップ８１を保持具８側に残したまま雌雄が分離した状態となることが回避できる。したがって、取り外された雌型キャップ８４のみを雄コネクタ４に被せ付けただけで、雄型キャップ８１の被せ付けを行うことなく作業を終了してしまう事態を未然に回避することができる。
（８）また、保持具８に対する雄型キャップ８１の離脱力は、キャップ同士の離脱力よりも低く設定されていることも、（７）の効果をより確実なものとする。
（９）雌雄コネクタ４，５の離脱力は保持具８に対する雄コネクタ４の離脱力よりも低く設定されているため、保持具８から取り外す必要のない雄コネクタ４を確実に保持具８に留めておくことができる。
（１０）指掛け部７５は中央部を境にしてその前後で勾配を逆にしているため、コネクタあるいはキャップの嵌合・離脱の際の指の掛かりをよくし、もって嵌合・離脱の作業をしやすくしている。
【００６７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００６８】
（１）本実施形態では解除案内面７８をスライダー６２側に形成したが、ロックアーム６３側に形成することも可能である。また、解除突部６６はスライダー６２側からロックアーム６３側に向けて突出するようなものであってもよい。
【００６９】
（２）スライダー６２はハウジング部分の外周を全周から取り囲むような筒状の形態である必要はなく、例えばロックアーム６３側のみを部分的に覆うようなものであってもよい。
【００７０】
（３）戻しばね６８は特にロックアーム６３を挟んで一対備えたものである必要はなく、例えばロックアーム６３の上方においてセンターに一つだけ配置する構造のものも考えられる。
【００７１】
（４）本実施形態では一つの保持具８にキャップ用保持部１２ｂとコネクタ用保持部１２ａとを設定したが、これらは別個の保持具に形成してもよい。
【図面の簡単な説明】
【００７２】
【図１】本実施形態のコネクタの配置状況を示す概略図
【図２】コネクタとキャップの保持構造を示す断面図
【図３】キャップが嵌合状態で保持されている状況を示す断面図
【図４】コネクタが嵌合状態で保持されてる状況を示す断面図
【図５】保持具の正面図
【図６】雄コネクタの分解斜視図
【図７】同ハウジングの正面図
【図８】同じく底面図
【図９】雌コネクタの分解斜視図
【図１０】同ハウジングの平面図
【図１１】雌コネクタの正面図
【図１２】雌コネクタの分解状態を示す平断面図
【図１３】同組付け状態を示す平断面図
【図１４】同スライダーをスライド操作した後の状態を示す平断面図
【図１５】雌雄コネクタの嵌合前の状態を示す側断面図
【図１６】同じく嵌合途中の状態を示す側断面図
【図１７】同じく嵌合が完了した状態を示す側断面図
【図１８】同じく離脱操作の初期の状態を示す側断面図
【図１９】同じく中期の状態を示す側断面図
【図２０】同じく離脱は完了したが、スライダーの戻り前の状態を示す側断面図
【図２１】雌コネクタ用キャップの斜視図
【図２２】同正面図
【図２３】雌コネクタにキャップが被せ付けられた状態を示す側断面図
【図２４】雄コネクタのキャップが被せ付けられた状態を示す側断面図
【符号の説明】
【００７３】
４…雄コネクタ（嵌合部材）
５…雌コネクタ（嵌合部材）
８…保持具
１２ａ…コネクタ用保持部
１２ｂ…キャップ用保持部
２５…ロック突起
６２，６２ｐ…スライダー
６３，６３ｐ…ロックアーム
６６…解除突部（連係部、解除端部）
６７…ばね収容部
６８…戻しばね
７２…当て壁
７４…ストッパ面
７８…解除案内面（連係部）
８１…雄型キャップ（嵌合部材）
８４…雌型キャップ（嵌合部材）
【図１】
2007335328.tif 000003
【図２】
2007335328.tif 000004
【図３】
2007335328.tif 000005
【図４】
2007335328.tif 000006
【図５】
2007335328.tif 000007
【図６】
2007335328.tif 000008
【図７】
2007335328.tif 000009
【図８】
2007335328.tif 000010
【図９】
2007335328.tif 000011
【図１０】
2007335328.tif 000012
【図１１】
2007335328.tif 000013
【図１２】
2007335328.tif 000014
【図１３】
2007335328.tif 000015
【図１４】
2007335328.tif 000016
【図１５】
2007335328.tif 000017
【図１６】
2007335328.tif 000018
【図１７】
2007335328.tif 000019
【図１８】
2007335328.tif 000020
【図１９】
2007335328.tif 000021
【図２０】
2007335328.tif 000022
【図２１】
2007335328.tif 000023
【図２２】
2007335328.tif 000024
【図２３】
2007335328.tif 000025
【図２４】
2007335328.tif 000026